(57)【要約】      （修正有）【課題】天井面に設置されている引掛シーリングに、国内用及び海外用のシーリングライトを容易に取り付け可能とするシーリングライト取付装置を提供する。【解決手段】引掛シーリングに固定可能な引掛シーリングアダプター部１と、引掛シーリングアダプター部１の下面に固定される平板部４と、引掛シーリングアダプター部１の下面及び平板部４を貫通する電源線挿通孔３を備え、平板部４には、電源線挿通孔３の一端側及び他端側に、それぞれ少なくとも１つのシーリングライト固定部８が設けてあるシーリングライト取付装置。【選択図】図１
0003190379.tif 000002
【実用新案登録請求の範囲】
【請求項１】
引掛シーリングに固定可能な引掛シーリングアダプター部と、
該引掛シーリングアダプター部の下面に固定される平板部と、
前記引掛シーリングアダプター部の下面及び前記平板部を貫通する電源線挿通孔を備え、
前記平板部には、前記電源線挿通孔の一端側及び他端側に、それぞれ少なくとも１つのシーリングライト固定部が設けてある
ことを特徴とするシーリングライト取付装置。
【請求項２】
前記シーリングライト固定部は、
前記平板部から下方に延びる取付ネジ又は取付ボルトである
ことを特徴とする請求項１記載のシーリングライト取付装置。
【請求項３】
前記電源線挿通孔又は前記平板部から下方に延び、前記引掛シーリングアダプター部の内部と連通する筒状体を備え、
前記取付ネジ又は取付ボルトが前記平板部の下面から突出する長さより、前記筒状体が前記平板部の下面から突出する長さの方が大きい
ことを特徴とする請求項２記載のシーリングライト取付装置。
【請求項４】
前記シーリングライト固定部は、
シーリングライトの上面から延びる一対の引掛ピンを受け入れ固定する一対のソケット部である
ことを特徴とする請求項１記載のシーリングライト取付装置。
【請求項５】
前記電源線挿通孔又は前記平板部から下方に延び、前記引掛シーリングアダプター部の内部と連通する筒状体を備え、
前記一対の引掛ピンが前記シーリングライトの上面から突出する長さより、前記筒状体が前記平板部の下面から突出する長さの方が大きい
ことを特徴とする請求項４記載のシーリングライト取付装置。
【考案の詳細な説明】
【技術分野】
【０００１】
本考案は、ＬＥＤシーリングライト等を容易に天井に取り付けることができるようにするためのシーリングライト取付装置に関するものである。
【背景技術】
【０００２】
東日本大震災以来、原子力発電所の停止に伴い電力供給不足となり、その結果、電気料金の値上げによって家計が圧迫されている。
そこで、節電を目的とした従来の光源から省電力で長寿命のＬＥＤ光源への切り替えニーズがますます高まっている。
一方、シーリングライトは１９９８年の発売以来、リモートコントロールによる二段調光と常夜灯の機能が揃っているため、住宅を中心に普及しており、その数は約２０００万個と推定されている。
そして、蛍光管式のシーリングライトについても、ＬＥＤ光源に比べ消費電力が大きいため、省電力や長寿命化の観点からＬＥＤ化が進んでいる。
そのため、シーリングライトを取り替える際に、ＬＥＤシーリングライト等を容易に天井に取り付けることができるようにするためのシーリングライト取付装置が種々開発されている。
【０００３】
特許文献１（特許第５１２６６３５号公報）には、ＬＥＤ等の発光素子を用いたシーリングライトを天井面に容易に取り付けられるようにするため、天井面に設置されている引掛シーリングボディに引掛刃によって電気的かつ機械的に接続される略円筒状のアダプターが提案されている。
このアダプターを用いてシーリングライトを天井面に取り付けるには、アダプターを引掛けシーリングボディに引掛刃を用いて固定した後、シーリングライトの上面中央に設けられている略円筒状の取付部をアダプターに合わせながら、アダプターの係止部が取付部の係合部に係合するまでシーリングライト本体を下方から手で押し上げれば良い。
【０００４】
特許文献２（特許第４６３４９８８号公報）には、シーリングライトを天井面に容易に取り付けられるようにするため、天井面に設置されている引掛けシーリングに設けられている一対のねじ孔に螺着された係止ねじを一対の被係止部に係止させて取り付ける取付具が提案されている。
この取付具を用いてシーリングライトを天井面に取り付けるには、取付具を引掛けシーリングボディに固定し、取付具の一対の取付ボルトをシーリングライト本体部の貫挿孔に貫挿させた後に一対の取付ボルトの先端部それぞれにナットを螺着すれば良い。
【０００５】
特許文献３（特許第５３９７６７４号公報）には、シーリングライトを天井面に容易に取り付けられるようにするため、天井面に設置されているＧＸ５３形口金に対応しているソケット装置が提案されている。
このソケット装置を用いてシーリングライトを天井面に取り付けるには、ソケット装置をＧＸ５３形口金に固定し、ソケット装置の本体下面に形成されている一対のソケット部に、シーリングライトの上面側に設けられている一対のランプピンを挿入し、シーリングライトを所定角度回動させれば良い。
【先行技術文献】
【特許文献】
【０００６】
【特許文献１】特許第５１２６６３５号公報
【特許文献２】特許第４６３４９８８号公報
【特許文献３】特許第５３９７６７４号公報
【考案の概要】
【考案が解決しようとする課題】
【０００７】
しかし、特許文献１のアダプターを利用するには、専用の取付部を備えた照明器具（シーリングライト）を用いる必要があり、照明器具の上面中央に略円筒状の取付部を設けるため、照明器具の中央部にはＬＥＤ素子を設けることができないという問題点があった。
また、特許文献２の取付具は、一対の取付ボルトを用いて照明器具（シーリングライト）を取り付けるが、取付具の下面で電源線と接続するため専用の筺体を備えた照明器具を用いる必要があり、照明部の中央部には光源を配置しにくいという問題点や一対の取付ボルトを貫挿孔に貫挿させる操作が難しいという問題点があった。
さらに、特許文献３のソケット装置は、一対のソケット部を用いてランプ装置（シーリングライト）を取り付けるが、ランプ装置の上面側に配置される専用の口金が必要であるという問題点があった。
【０００８】
本考案の課題は、シーリングライト側に専用の取付部等を設けることなく、既存のシーリングライトに軽微な改造を施すだけで、天井面に設置されている引掛シーリングに国内用及び海外用のシーリングライトを容易に取り付け可能であるとともに、電源線をシーリングライト内部に容易に引き込み可能なシーリングライト取付装置を提供することである。
【課題を解決するための手段】
【０００９】
請求項１に係る考案のシーリングライト取付装置は、引掛シーリングに固定可能な引掛シーリングアダプター部と、該引掛シーリングアダプター部の下面に固定される平板部と、前記引掛シーリングアダプター部の下面及び前記平板部を貫通する電源線挿通孔を備え、前記平板部には、前記電源線挿通孔の一端側及び他端側に、それぞれ少なくとも１つのシーリングライト固定部が設けてあることを特徴とする。
【００１０】
請求項２に係る考案のシーリングライト取付装置は、請求項１に記載のシーリングライト取付装置において、前記シーリングライト固定部は、前記平板部から下方に延びる取付ネジ又は取付ボルトであることを特徴とする。
【００１１】
請求項３に係る考案のシーリングライト取付装置は、請求項２に記載のシーリングライト取付装置において、前記電源線挿通孔又は前記平板部から下方に延び、前記引掛シーリングアダプター部の内部と連通する筒状体を備え、前記取付ネジ又は取付ボルトが前記平板部の下面から突出する長さより、前記筒状体が前記平板部の下面から突出する長さの方が大きいことを特徴とする。
【００１２】
請求項４に係る考案のシーリングライト取付装置は、請求項１に記載のシーリングライト取付装置において、前記シーリングライト固定部は、シーリングライトの上面から延びる一対の引掛ピンを受け入れ固定する一対のソケット部であることを特徴とする。
【００１３】
請求項５に係る考案のシーリングライト取付装置は、請求項４に記載のシーリングライト取付装置において、前記電源線挿通孔又は前記平板部から下方に延び、前記引掛シーリングアダプター部の内部と連通する筒状体を備え、前記一対の引掛ピンが前記シーリングライトの上面から突出する長さより、前記筒状体が前記平板部の下面から突出する長さの方が大きいことを特徴とする。
【考案の効果】
【００１４】
請求項１に係る考案のシーリングライト取付装置は、引掛シーリングアダプター部と、その下面に固定される平板部と、電源線挿通孔を備えるとともに、平板部にはシーリングライト固定部が設けてあるので、シーリングライトの上面にシーリングライト固定部に対応する穴又は固定具と、電源線挿通孔に対応する電源穴を設けるだけで、シーリングライトを平板部の下面へ容易に取り付けることができ、かつ、電源線をシーリングライト内部に容易に引き込むことができる。
そのため、国内用海外用を問わず既存のシーリングライトであっても、天井面に設置されている引掛シーリングを利用して容易に取り付け配線することが可能となる。
【００１５】
請求項２に係る考案によれば、請求項１に係る考案による効果に加え、シーリングライト固定部が平板部から下方に延びる取付ネジ又は取付ボルトであるので、シーリングライトの上面に設けた固定孔に取付ネジ又は取付ボルトを通し蝶ネジ又はナットをねじ込むだけで、シーリングライトを平板部の下面へ容易に取り付けることができる。
【００１６】
請求項３に係る考案によれば、請求項２に係る考案による効果に加え、電源線挿通孔又は平板部から下方に延び、引掛シーリングアダプター部の内部と連通する筒状体を備え、取付ネジ又は取付ボルトが平板部の下面から突出する長さより、筒状体が平板部の下面から突出する長さの方が大きいので、シーリングライトを平板部の下面へ取り付ける際に、まずシーリングライト上面の電源穴を筒状体に差し込み、取付ネジ又は取付ボルトの先端をシーリングライトの上面に接触させながら回転させれば、いずれかの回転位置で取付ネジ又は取付ボルトがシーリングライト上面の穴に嵌まり込み、容易に取り付け作業を行うことができるという効果がある。
【００１７】
請求項４に係る考案によれば、請求項１に係る考案による効果に加え、シーリングライト固定部がシーリングライトの上面から延びる一対の引掛ピンを受け入れ固定する一対のソケット部であるので、シーリングライトの上面に設けた一対の引掛ピンをソケット部に差し込みシーリングライト全体を回転させるだけで、シーリングライトを平板部の下面へ容易に取り付けることができる。
【００１８】
請求項５に係る考案によれば、請求項４に係る考案による効果に加え、電源線挿通孔又は平板部から下方に延び、引掛シーリングアダプター部の内部と連通する筒状体を備え、一対の引掛ピンがシーリングライトの上面から突出する長さより、筒状体が平板部の下面から突出する長さの方が大きいので、シーリングライトを平板部の下面へ取り付ける際に、まずシーリングライト上面の電源穴を筒状体に差し込み、一対の引掛ピンの先端を平板部の下面に接触させながら回転させれば、いずれかの回転位置で一対の引掛ピンがソケット部に嵌まり込み、容易に取り付け作業を行うことができるという効果がある。
【図面の簡単な説明】
【００１９】
【図１】実施例１のシーリングライト取付装置の斜視図。
【図２】実施例１のシーリングライト取付装置の平板部４の平面図。
【図３】実施例１の引掛シーリングアダプター部１の側面図と平板部４の断面図。
【図４】実施例１の平板部４の下面にシーリングライト２０を取り付ける状態における断面図。
【図５】実施例１のシーリングライト取付装置に取り付け可能なシーリングライト２０の上面の平面図と断面図。
【図６】実施例２のシーリングライト取付装置の平板部１３の平面図。
【図７】実施例２及び４のシーリングライト取付装置に取り付け可能なシーリングライト２３の上面の平面図と断面図。
【図８】実施例３のシーリングライト取付装置の平板部１７の平面図と断面図。
【図９】実施例３のシーリングライト取付装置に取り付け可能なシーリングライト２６の上面の平面図。
【図１０】実施例４のシーリングライト取付装置の平面図。
【図１１】実施例４のシーリングライト取付装置の断面図。
【考案を実施するための形態】
【００２０】
以下、実施例によって本考案の実施形態を説明する。
なお、以下の説明においては、図面の左側を一端側、右側を他端側、上側を上端側、下側を下端側として説明する。
また、図面の記載は模写的なものであるとともに、実施例の説明における各部材の寸法は例示であって、取り付けるシーリングライトの大きさや必要とされる強度等に応じて、適宜変更可能なものであることはいうまでもない。
【実施例１】
【００２１】
実施例１のシーリングライト取付装置の斜視図を図１に、同シーリングライト取付装置の平板部４の平面図を図２に、同シーリングライト取付装置の引掛シーリングアダプター部１の側面図と平板部４の断面図を図３に、実施例１の平板部４の下面にシーリングライト２０を取り付ける状態における断面図を図４に、実施例１のシーリングライト取付装置に取り付け可能なシーリングライト２０の上面の平面図と断面図を図５に示す。
【００２２】
図１及び図４に示すように実施例１のシーリングライト取付装置は、引掛シーリングに固定可能な引掛シーリングアダプター部１と、平板部４と、平板部４の上面に引掛シーリングアダプター部１を固定するための筒状体１１及びナット１２と、平板部４の下面にシーリングライト２０を固定するための取付ネジ８と、取付ネジ８に挿入されるスペーサ９からなっている。
【００２３】
引掛シーリングアダプター部１は、角型引掛シーリングオスアダプターとして普及しているものであり、図１及び図３に示すように、全体は縦２４ｍｍ、横５２ｍｍ、高さ１８ｍｍのほぼ直方体形状であり、上面側には対角線上の一端側と他端側に一対のオスコネクター２を有するとともに、下面の中央には電源線を通すため直径１０ｍｍの電源線挿通孔３を有している（詳細構造については、例えば特開昭６４−３１３０３号公報を参照）。
【００２４】
平板部４は図１〜３に示すように、長さ１４０ｍｍ、幅３０ｍｍ、厚さ約１ｍｍの金属製板状体であり、中央に電源線を通すための直径１２ｍｍの電源線挿通孔嵌合孔５、電源線挿通孔嵌合孔５の一端側と他端側に幅１４ｍｍ、高さ１１ｍｍのアダプター用ガイド６、一対のアダプター用ガイド６の外側に直径４ｍｍの固定孔７を設けてある。
【００２５】
電源線挿通孔嵌合孔５は、図３及び図４に示すように、引掛シーリングアダプター部１の下面にわずかに突出している電源線挿通孔３の外径部が嵌合するようになっている。
そして、上端にフランジ部、外側面にネジ山を有する外径１０ｍｍ、長さ２５ｍｍの筒状体１１を電源線挿通孔３の上方側から差し込み、平板部４の下方側から外径１５ｍｍのナット１２をねじ込んで引掛シーリングアダプター部１と平板部４を固定する。
【００２６】
アダプター用ガイド６は、平板部４にコの字状の切り込みを設け、垂直に折り曲げたものであり、図３及び図４に示すように、アダプター用ガイド６の間に引掛シーリングアダプター部１が挟まるようになっている。
そして、ナット１２を筒状体１１にねじ込む時、引掛シーリングアダプター部１の回転が規制されるので、引掛シーリングアダプター部１と平板部４の固定を容易かつ確実に行うことができる。
【００２７】
固定孔７は、平板部４の下面にシーリングライト２０の上面を固定するためのもので、平板部４の上方側から外径６ｍｍ、長さ８ｍｍのスペーサ９を差し込んだ長さ２０ｍｍの取付ネジ８が挿入される。
シーリングライト２０の上面を固定するに際しては、図５に示すように、シーリングライト２０の上面の中央に設けた直径１５ｍｍの電源穴２１を筒状体１１の下端側から差し込んでシーリングライト２０全体を軽く押し上げながら回転させると、いずれかの回転位置で取付ネジ８の先端がシーリングライト２０の上面の２箇所に設けた直径８ｍｍの穴２２に入り、その状態でさらにシーリングライト全体を押し上げると、中央の電源穴２１がナット１２の周囲に入り込むとともに、２箇所の穴２２がスペーサ９の周囲に入り込む。
そこで、取付ネジ８の先端から蝶ネジ１０をねじ込むと平板部４の下面にシーリングライト２０の上面が固定される。そのため、取付ネジ８の先端が穴２２に入り易く、かつ、２箇所の穴２２がスペーサ９の周囲に入り込んだ後には、がたつくことがない。
【実施例２】
【００２８】
以下の説明において、実施例１と変わっていない箇所については、実施例１と同じ番号を用いる。
実施例２のシーリングライト取付装置の平板部１３の平面図を図６に、同平板部１３の下面に取り付けるシーリングライト２３の上面の平面図と断面図を図７に示す。
【００２９】
図６に示すように実施例２のシーリングライト取付装置の平板部１３は、直径８０ｍｍの金属製板状体であり、中心に電源線を通すための直径１２ｍｍの電源線挿通孔嵌合孔５、電源線挿通孔嵌合孔５の一端側と他端側に幅１４ｍｍ、高さ１１ｍｍのアダプター用ガイド６及び中心の上端側と下端側に一対のソケット部１４を設けてある。
ソケット部１４は、直径５０ｍｍ、中心角６０度の扇形の弧状部に沿った幅２ｍｍの透孔部と、上端側の透孔部の一端側及び下端側の透孔部の他端側に中心方向へ４ｍｍ延びる引掛ピン挿入孔１５と、上端側の透孔部の他端側及び下端側の透孔部の一端側に上端方向へ２ｍｍ延びるロック孔１６からなっている。
また、実施例２のシーリングライト取付装置の引掛シーリングアダプター部１と平板部１３との固定は、筒状体１１とナット１２を用いて実施例１と同様に行われる。
【００３０】
そして、シーリングライト２３の上面を平板部１３の下面に固定するに際しては、図７に示すシーリングライト２３の上面の中央に設けた直径１５ｍｍの電源穴２１を筒状体１１の下端側から差し込んでシーリングライト２３全体を軽く押し上げながら回転させると、シーリングライト２３の上面に設けた引掛ピン２５が、いずれかの回転位置で平板部１３のソケット部１４の引掛ピン挿入孔１５に入り、その状態でシーリングライト全体を下方から見て反時計回りに６０度回転させると、引掛ピン２５上端の水平部が平板部１３の上面に引っ掛かった状態でロック孔１６側に止まる。
そこで、シーリングライト全体をロック孔１６が延びている側にスライドさせると、シーリングライト２３は下方から見て時計回りには回転できなくなりロックされることとなる。
【００３１】
逆に、シーリングライト２３の上面を平板部１３の下面から外す際には、シーリングライト全体をロック孔１６が延びている側と逆方向にスライドさせた上で、下方から見て時計回りに６０度回転させると、引掛ピン２５上端の水平部が引掛ピン挿入孔１５と合致するので、引掛ピン２５をソケット部１４から下方に引き抜くことができ、シーリングライト２３が平板部１３から外れる。
【実施例３】
【００３２】
実施例３のシーリングライト取付装置の平板部１７の平面図と断面図を図８に、同平板部１７の下面に取り付けるシーリングライト２６の上面の平面図を図９に示す。
【００３３】
図８に示すように実施例３のシーリングライト取付装置の平板部１７は、直径８０ｍｍの金属製板状体であり、中心に電源線を通すための直径１２ｍｍの電源線挿通孔嵌合孔５、電源線挿通孔嵌合孔５の一端側と他端側に幅１４ｍｍ、高さ１１ｍｍのアダプター用ガイド６、中心の一端側斜め下と他端側斜め上に５０ｍｍの間隔をもって一対の引掛ピン１８が設けてある。
なお、アダプター用ガイド６は平板部１７の上面側に、引掛ピン１８は平板部１７の下面側に設けてある。
また、実施例３のシーリングライト取付装置の引掛シーリングアダプター部１と平板部１７との固定は、筒状体１１とナット１２を用いて実施例１と同様に行われる。
【００３４】
平板部１７の下面に固定されるシーリングライト２６の上面には、中央に直径１５ｍｍの電源穴２１、中心の上端側と下端側に一対のソケット部２７を設けてある。
ソケット部２７は、直径５０ｍｍ、中心角６０度の扇形の弧状部に沿った幅２ｍｍの透孔部と、上端側の透孔部の一端側及び下端側の透孔部の他端側に中心方向へ４ｍｍ延びる引掛ピン挿入孔２８と、上端側の透孔部の他端側及び下端側の透孔部の一端側に上端方向へ２ｍｍ延びるロック孔２９からなっている。
そして、シーリングライト２６の上面を平板部１７の下面に固定するに際しては、電源穴２１を筒状体１１の下端側から差し込んでシーリングライト２６全体を軽く押し上げながら回転させると、シーリングライト２６の上面に設けたソケット部２７の引掛ピン挿入孔２８に平板部１７の引掛ピン１８が入り、その状態でシーリングライト全体を下方から見て時計回りに６０度回転させると、引掛ピン１８下端の水平部がシーリングライト２６の上面板の下面に引っ掛かった状態でロック孔２９側に止まる。
そこで、シーリングライト全体をロック孔２９が延びている側にスライドさせると、シーリングライト２６は下方から見て反時計回りには回転できなくなりロックされることとなる。
【００３５】
逆に、シーリングライト２６の上面を平板部１７の下面から外す際には、シーリングライト全体をロック孔２９が延びている側と逆方向にスライドさせた上で、下方から見て反時計回りに６０度回転させると、引掛ピン１８下端の水平部が引掛ピン挿入孔２８と合致するので、引掛ピン１８がソケット部２７から脱出できる状態となり、シーリングライト２６が平板部１７から外れる。
【実施例４】
【００３６】
実施例４のシーリングライト取付装置の平面図を図１０に、同シーリングライト取付装置のＸ−Ｘ線断面図を図１１に示す。
【００３７】
図１０に示すように実施例４のシーリングライト取付装置の平板部３４は、直径８０ｍｍの円弧状部と直線部からなる形状の板状体であり、中央に電源線を通すための直径１０ｍｍの電源線挿通孔３３、中心の一端側斜め下と他端側斜め上に一対のソケット部３７を設けてある。
ソケット部３７は、直径５０ｍｍ、中心角４５度の扇形の弧状部に沿った幅２ｍｍの透孔部と、一端側の透孔部の下端側及び他端側の透孔部の上端側に中心方向へ４ｍｍ延びる引掛ピン挿入孔３８と、一端側の透孔部の上端側及び他端側の透孔部の下端側に他端方向へ２ｍｍ延びるロック孔３９からなっている。
なお、平板部３４は、金属製板状体３５の外部を樹脂材料等の軟質材料で被覆したものである。
【００３８】
平板部３４の上面側には引掛シーリングアダプター部３１が設けてあり、下面側には電源線挿通孔３３の周囲から下方に延びる直径１５ｍｍの筒状体３６が設けてある。
また、引掛シーリングアダプター部３１は、縦２４ｍｍ、横５２ｍｍ、高さ１０ｍｍのほぼ直方体形状であり、上面側には対角線上の一端側と他端側に一対のオスコネクター３２を有している。
【００３９】
そして、シーリングライト２３の上面を実施例４のシーリングライト取付装置の平板部３４の下面に固定するに際しては、図７に示すシーリングライト２３の上面の中央に設けた直径１５ｍｍの電源穴２１を筒状体３６の下端側から差し込んでシーリングライト２３全体を軽く押し上げながら回転させると、シーリングライト２３の上面に設けた引掛ピン２５が平板部３４のソケット部３７の引掛ピン挿入孔３８に入り、その状態でシーリングライト全体を下方から見て反時計回りに４５度回転させると、引掛ピン２５上端の水平部が平板部３４の上面に引っ掛かった状態でロック孔３９側に止まる。
そこで、シーリングライト全体をロック孔３９が延びている側にスライドさせると、シーリングライト２３は下方から見て時計回りには回転できなくなりロックされることとなる。
【００４０】
逆に、シーリングライト２３の上面を平板部３４の下面から外す際には、シーリングライト全体をロック孔３９が延びている側と逆方向にスライドさせた上で、下方から見て時計回りに４５度回転させると、引掛ピン２５上端の水平部が引掛ピン挿入孔３８と合致するので、引掛ピン２５をソケット部３７から下方に引き抜くことができ、シーリングライト２３が平板部３４から外れる。
【００４１】
実施例１〜４の変形例を列記する。
（１）実施例１〜３の平板部４、１３、１７及び実施例４の平板部３４の内部は金属製板状体であるが、シーリングライトを取り付けて壊れない硬質材料の板状体であれば材質は問わない。
また、実施例１〜３においても、実施例４と同様に硬質材料の外部を樹脂材料等の軟質材料で被覆したものであっても良い。
（２）実施例１〜３においては、引掛シーリングアダプター部１と平板部４、１３、１７の固定は、筒状体１１を電源線挿通孔３の上方側から差し込み、ナット１２をねじ込むことによって行ったが、固定手段はネジ、リベット、溶接、接着等どのような手段でも良い。
そうした場合、筒状体１１及びナット１２は必要なくなるが、シーリングライト２０、２３、２６を取り付ける際のガイド用として、電源線挿通孔嵌合孔５の周囲に、取付ネジ８や引掛ピン１８が平板部４、１７の下面から突出する長さ、又は引掛ピン２５がシーリングライト２３の上面から突出する長さより長く下方側に延びる筒状体を設けても良い。
（３）実施例１〜３においては、電源線挿通孔嵌合孔５の一端側と他端側にアダプター用ガイド６を設けたが、このアダプター用ガイド６は、引掛シーリングアダプター部１と平板部４の固定作業を容易かつ確実に行えるようにするためのものであるから、設けなくても良い。
また、筒状体１１とナット１２を用いた固定に代えて又は加えて、引掛シーリングアダプター部１と平板部４、１３、１７との固定を行うために用い、引掛シーリングアダプター部１の側面部とアダプター用ガイド６とをネジ、リベット、溶接、接着等の手段によって固着するようにしても良い。
（４）実施例１においては、固定孔７にスペーサ９を差し込んだ取付ネジ８を挿入したが、このスペーサ９は、シーリングライト２０を平板部４の下面に取り付ける際に、取付ネジ８の先端を穴２２に入り易くするとともに、取り付けた後にがたつかないようにするためのものであるから、用いなくても良い。
また、取付ネジに基端側が太く先端側が細いものを用いれば、スペーサ９を差し込んだ取付ネジ８と同じ効果を得ることができる。
さらに、取付ネジ８に代えて取付ボルトとしても良い。
（５）実施例２、４のソケット部１４、３７及び実施例３の平板部１７の下面に取り付けられるシーリングライト２６のソケット部２７には、ロック孔１６、３９及び２９を設けたが、このロック孔１６、３９及び２９は、シーリングライトを取り付けた後に引掛ピン１８、２５を平板部１３、３４及び１７から外れにくくするためのものであるから、設けなくても良い。
（６）実施例１〜４の平板部４、１３、１７、３４の下面に取り付けられるシーリングライト２０、２３及び２６は、図５、７及び９に示すように、電源穴２１、穴２２、引掛ピン２５、ソケット部２７を有するものであったが、このようなものを有していないシーリングライトであっても、平坦な上面板さえ有していれば、その上面板に電源穴２１と穴２２を穿ったり、電源穴２１を穿つとともに引掛ピン２５を取り付けたり、電源穴２１とソケット部２７を穿ったりすれば、実施例１〜４の平板部４、１３、１７、３４の下面に取り付けられるものとなる。
【符号の説明】
【００４２】
１  引掛シーリングアダプター部      ２  オスコネクター
３  電源線挿通孔      ４  実施例１の平板部
５  電源線挿通孔嵌合孔      ６  アダプター用ガイド
７  固定孔      ８  取付ネジ      ９  スペーサ
１０  蝶ネジ      １１  筒状体      １２  ナット
１３  実施例２の平板部      １４  ソケット部
１５  引掛ピン挿入孔      １６  ロック孔
１７  実施例３の平板部      １８  引掛ピン
２０  実施例１用のシーリングライト      ２１  電源穴      ２２  穴
２３  実施例２、４用のシーリングライト      ２５  引掛ピン
２６  実施例３用のシーリングライト
２７  シーリングライト上面のソケット部
２８  シーリングライト上面の引掛ピン挿入孔
２９  シーリングライト上面のロック孔
３１  実施例４の引掛シーリングアダプター部
３２  実施例４のオスコネクター
３３  実施例４の電源線挿通孔      ３４  実施例４の平板部
３５  金属製板状体      ３６  実施例４の筒状体
３７  実施例４のソケット部      ３８  実施例４の引掛ピン挿入孔
３９  実施例４のロック孔
【図１】
0003190379.tif 000003
【図２】
0003190379.tif 000004
【図３】
0003190379.tif 000005
【図４】
0003190379.tif 000006
【図５】
0003190379.tif 000007
【図６】
0003190379.tif 000008
【図７】
0003190379.tif 000009
【図８】
0003190379.tif 000010
【図９】
0003190379.tif 000011
【図１０】
0003190379.tif 000012
【図１１】
0003190379.tif 000013